(57)【要約】      （修正有）【課題】ディジタルフォトフレームのパネルユニットと電子本体とを結合すると、安定な結合が得られ、また、パネルユニットを交換する時、取り外すことが容易であるディジタルフォトフレームの接合構造を提供する。【解決手段】フレーム体と透明保護層からなり、当該フレーム体の一面に固定部が環設されるパネルユニットと、パネルユニットの固定部に結合され、上記の透明保護層に対応するディスプレーがあり、一側に一つ以上の固定部に対応する係合部があり、もう一側に少なくとも一つの固定部に対応する接合部がある、電子本体と、が含有される。【選択図】図２
0003118107.tif 000002
【実用新案登録請求の範囲】
【請求項１】
フレーム体と当該フレーム体の中央に設置される透明保護層からなり、当該フレーム体の一面に固定部が環設される、パネルユニットと、
上記のパネルユニットの固定部に結合され、上記の透明保護層に対応するディスプレーがあり、一側に一つ以上の固定部に対応する係合部があり、もう一側に少なくとも一つの固定部に対応する接合部がある、電子本体と、
が含有される
ことを特徴とするディジタルフォトフレームの接合構造改良。
【請求項２】
当該フレーム体のもう一面に、必要に応じて、図柄部が設置される、ことを特徴とする請求項１に記載のディジタルフォトフレームの接合構造改良。
【請求項３】
当該接合部は、係止フックである、ことを特徴とする請求項１に記載のディジタルフォトフレームの接合構造改良。
【請求項４】
当該接合部は、磁性体である、ことを特徴とする請求項１に記載のディジタルフォトフレームの接合構造改良。
【考案の詳細な説明】
【技術分野】
【０００１】
本考案は、ディジタルフォトフレームの接合構造改良に関し、特に、パネルユニットと電子本体とを結合すると、安定な結合が得られ、また、パネルユニットを交換する時、取り外すことが容易である効果が得られる。
【背景技術】
【０００２】
一般用のディジタルフォトフレームは、図６のように、電子本体３があり、当該電子本体３の一面に、ディスプレー３１があり、もう一面に、支持体３２があり、また、当該電子本体３上には、メモリカードを挿着するためのスロットと、スウィッチ部と（図に表せず）が設けられ、当該電子本体３のディスプレー３１の周縁に、直接に形成されるか貼りつけるかにより、パネル３３が設けられ、これにより、メモリカードに格納される写真を閲覧できるディジタルフォトフレームが構成される。
【０００３】
上記の従来のディジタルフォトフレームは、メモリカードに格納される写真を閲覧する効果が得られるが、当該ディジタルフォトフレームのパネル３３は、直接に形成されるか貼りつけるかにより、ディスプレー３１の周縁に設置されるため、当該パネル３３を交換することが出来ず、そのため、ディジタルフォトフレームのパネル３３は、変化がなく、また、貼りつけることによりパネル３３をディスプレー３１の周縁に設置した場合、時間が経つと、粘着ゲルが硬化して、パネル３３が外れる恐れがあり、そのため、一般の従来のディジタルフォトフレームは、実用性から言えば、十分ではない。
【考案の開示】
【考案が解決しようとする課題】
【０００４】
本考案の主な目的は、パネルユニットの固定部と、電子本体の固定部と、接合部とにより、当該パネルユニットと当該電子本体との結合が、より安定的であり、また、当該パネルユニットの交換もより容易であるディジタルフォトフレームを提供する。
【課題を解決するための手段】
【０００５】
本考案は、上記の目的を達成するため、フレーム体と透明保護層からなり、当該フレーム体の一面に固定部が環設されるパネルユニットと、当該パネルユニットの固定部に結合され、上記の透明保護層に対応するディスプレーがあり、一側に一つ以上の固定部に対応する係合部があり、もう一側に少なくとも一つの固定部に対応する接合部がある電子本体と、が含有される、ディジタルフォトフレームの接合構造改良を提案する。
【考案を実施するための最良の形態】
【０００６】
図１、２、３は、それぞれ、本考案の立体の外観概念図、本考案の立体の分解概念図及び本考案の他の立体の分解概念図である。図のように、本考案は、ディジタルフォトフレームの接合構造改良であり、パネルユニット１と電子本体２からなり、パネルユニットと電子本体とを結合すると、安定な結合が得られ、また、パネルユニットを交換する時、取り外すことが容易である効果が得られる。
【０００７】
上記のパネルユニット１は、フレーム体１１と、当該フレーム体１１の中央に設置される透明保護層１２とが含有され、また、当該フレーム体１１は、一面に固定部１３が環設され、もう一面に、必要に応じて、図柄部１４が設置される。
【０００８】
当該電子本体２は、上記のパネルユニット１の固定部１３上に結合され、上記の透明保護層１２に対応するディスプレー２１と、一端面に設置される支持部２２と、メモリカードを挿着するためのスロット２３と、スウィッチ部２４とが含有され、また、当該電子本体２の一側に、一つ以上の固定部１３に対応する係合部２５があり、もう一側に、少なくとも一つの固定部１３に対応の接合部２６があり、当該接合部２６は、係止フックや、磁性体或いは他の固定部１３と結合できる構造である。上記の構造により、新しいディジタルフォトフレームの接合構造改良が構成される。
【０００９】
図４は、本考案の組立て状態の概念図である。図のように、本考案は、組立てる時、当該電子本体２一側の係合部２５を、傾斜な角度で、対応するパネルユニット１に位置する固定部１３に挿入してから、電子本体２のもう一側に下へ向かって圧力を印加することにより、当該接合部２６が、対応するパネルユニット１の固定部１３に係合され、これにより、パネルユニット１と電子本体２の組立てが完成される。
【００１０】
図５は、本考案の外し状態の断面概念図である。図のように、ユーザーが当該パネルユニット１を交換する時、当該接合部２６を押しながら、対応するパネルユニット１の固定部１３に係合された接合部２６は、内部へ退去して、固定部１３から分離され、この時、ユーザーが、当該電子本体２の接合部２６の一側を上へ引き上げると、電子本体２の一側が引き上げられて傾斜状態になり、その後、当該電子本体２の一側を外へ引っ張ると、当該係合部２５とパネルユニット１の固定部１３とが分離され、これにより、ユーザーが簡単にパネルユニット１の交換が出来る。
【００１１】
以上の説明のように、本考案に係わるディジタルフォトフレームの接合構造改良は、パネルユニットの固定部と電子本体の固定部と接合部により、当該ディジタルフォトフレームのパネルユニットと電子本体を結合すると、安定な結合が得られ、また、容易にパネルユニットを交換できる効果が得られ、そのため、本考案は、進歩性や実用性がありながら、ユーザーをより満足させるものであり、法に従って実用新案登録請求を出願する。
【００１２】
以上の説明は、ただ、本考案のより良い実施例であり、本考案の実用新案登録請求は、それによって制限されず、また、本考案の実用新案登録請求や明細書の内容に従って、等価な変更や修正は、本考案の実用新案登録請求の範囲に含まれる。
【図面の簡単な説明】
【００１３】
【図１】本考案の立体の外観概念図
【図２】本考案の立体の分解概念図
【図３】本考案の他の立体の分解概念図
【図４】本考案の組立て状態の概念図
【図５】本考案の外し状態の断面概念図
【図６】従来の立体の外観概念図
【符号の説明】
【００１４】
(本考案部分)
パネルユニット  １
フレーム体  １１
透明保護層  １２
固定部  １３
図柄部  １４
電子本体  ２
ディスプレー  ２１
支持部  ２２
スロット２３
スウィッチ部  ２４
係合部  ２５
接合部  ２６
(従来部分)
電子本体３
ディスプレー  ３１
支持体  ３２
パネル  ３３
【図１】
0003118107.tif 000003
【図２】
0003118107.tif 000004
【図３】
0003118107.tif 000005
【図４】
0003118107.tif 000006
【図５】
0003118107.tif 000007
【図６】
0003118107.tif 000008
【手続補正書】
【提出日】平成17年9月21日(2005.9.21)
【手続補正１】
【補正対象書類名】実用新案登録請求の範囲
【補正対象項目名】請求項２
【補正方法】変更
【補正の内容】
【請求項２】
当該フレーム体のもう一面に、図柄部が設置される、ことを特徴とする請求項１に記載のディジタルフォトフレームの接合構造改良。
【手続補正書】
【提出日】平成17年10月27日(2005.10.27)
【手続補正１】
【補正対象書類名】実用新案登録請求の範囲
【補正対象項目名】全文
【補正方法】変更
【補正の内容】
【実用新案登録請求の範囲】
【請求項１】
フレーム体と当該フレーム体の中央に設置される透明保護層からなり、当該フレーム体の一面に固定部が環設される、パネルユニットと、
上記のパネルユニットの固定部に結合され、上記の透明保護層に対応するディスプレーがあり、一側に一つ以上の固定部に対応する係合部があり、もう一側に少なくとも一つの固定部に対応する接合部がある、電子本体と、
が含有される
ことを特徴とするディジタルフォトフレームの接合構造。
【請求項２】
当該フレーム体のもう一面に、図柄部が設置される、ことを特徴とする請求項１に記載のディジタルフォトフレームの接合構造。
【請求項３】
当該接合部は、係止フックである、ことを特徴とする請求項１に記載のディジタルフォトフレームの接合構造。
【請求項４】
当該接合部は、磁性体である、ことを特徴とする請求項１に記載のディジタルフォトフレームの接合構造。